(57)【要約】【課題】光源の前方に設けられた導光部材の出射面から十分な光を出射することにより、被取付面に沿って十分な光を出射できる照明器具を提供する。【解決手段】器具本体２０には、光源２１Ａおよび電源部５０が設けられており、光源２１Ａは電源部５０から供給される電力によって点灯する。また、器具本体２０には、導光部材４０Ａが取り付けられている。導光部材４０Ａは、光源２１Ａに小径端部４１１が対面するとともに光源２１Ａから離れる方向に向かって拡開する円錐筒部４１と、円錐筒部４１の大径端部４１２における外周面に沿って設けられた鍔部４３とを有する。このため、光源２１Ａに対面する小径端部４１１から入射した光は、導光部材４０Ａの円錐筒部４１を経て鍔部４３に導光されるので、鍔部４３が明るくなり、天井材１１に沿って十分な光を照射できる。また、鍔部４３には内部空間がないので、埃や虫が入り込むのを防止できる。【選択図】図１
2014216146.tif 000002
【特許請求の範囲】
【請求項１】
器具本体と、
前記器具本体に支持されて光を照射可能な光源と、
前記器具本体に支持され、前記光源に小径端部が対面するとともに前記光源から離れる方向に向かって拡開する円錐筒部と、前記円錐筒部の大径端部における外周面に沿って設けられた鍔部とを有する導光部材と、を備える照明器具。
【請求項２】
請求項１に記載の照明器具において、
前記小径端部に設けられた蓋部を有する照明器具。
【請求項３】
請求項２に記載の照明器具において、
前記蓋部にレンズが設けられている照明器具。
【請求項４】
請求項１〜請求項３のうちのいずれか１項に記載の照明器具において、
前記器具本体に連結され、前記光源から離れる方向に向かって拡開する筒体と、
前記筒体の端部に連結された枠とを有する照明器具。
【請求項５】
請求項１〜請求項４のうちのいずれか１項に記載の照明器具において、
前記器具本体が天井材に設けられた取付孔から前記天井材の裏側に収容可能であるとともに、前記鍔部が前記天井材の表側に露出可能である照明器具。
【発明の詳細な説明】
【技術分野】
【０００１】
本発明は、出射される光の輪郭をぼかして軟らかい光を照射できる照明器具に関するものである。
【背景技術】
【０００２】
従来、例えば天井面等の被取付面に取り付けられて下方を照明する照明器具において、出射される光の輪郭をぼかして、軟らかい光で照明する照明器具が知られている（例えば、非特許文献１参照）。
図２３に示すように、非特許文献１に記載の照明器具１００は、天井面１０１に設けられている取付孔１０２に取り付けられて、主に下方を照明する。照明器具１００は、取付孔１０２に取り付けられる器具本体１０３を有しており、器具本体１０３に取り付けられている電源装置１０４が天井裏に収容されている。
【０００３】
器具本体１０３には光源１０５が設けられており、器具本体１０３の下端には、セード１０６が取り付けられている。セード１０６は断面コ字形状のリング状部材であり、内面１０６Ａに入射した光源１０５からの光ＬＢ１が取り込まれる。そして、取り込まれた光は、下面１０６Ｂから下方へ出射（ＬＢ２）されるとともに、外面１０６Ｃから横方向（ＬＢ３）に出射される。
これにより、セード１０６の内部空間を通過して下方に照射された光源１０５からの光の輪郭を明るくして、光源１０５からの光の輪郭をぼかすとともに、横方向にも光を照射して、照明光に軟らかな印象を与えている。
【先行技術文献】
【非特許文献】
【０００４】
【非特許文献１】“照明器具−商品検索・データダウンロード｜電気・建築設備エコソリューション｜法人のお客様｜Panasonic”、［ｏｎｌｉｎｅ］、パナソニック株式会社、「平成２５年４月２日検索」、インターネット（URL:http://www2.panasonic.biz/es/catalog/lighting/products/detail/shouhin.php?at=mvdetail&ct=zentai&id=00068379&hinban=LGB72033）
【発明の概要】
【発明が解決しようとする課題】
【０００５】
しかしながら、前述した従来の照明器具１００においては、光源１０５とセード１０６との距離が離れているため、セード１０６に入射する光の光量が減少する。このため、セード１０６からの出射光ＬＢ２、ＬＢ３に十分な光量が得られないという問題があった。
また、セード１０６が断面コ字形状をしているため、セード１０６の内部に埃や虫が入り込むと云う問題があった。
【０００６】
本発明は、従来の問題を解決するためになされたもので、光源の前方に設けられた導光部材の出射面から十分な光を出射することにより、被取付面に沿って十分な光を出射できる照明器具を提供することを目的とする。
【課題を解決するための手段】
【０００７】
本発明の照明器具は、器具本体と、前記器具本体に支持されて光を照射可能な光源と、前記器具本体に支持され、前記光源に小径端部が対面するとともに前記光源から離れる方向に向かって拡開する円錐筒部と、前記円錐筒部の大径端部における外周面に沿って設けられた鍔部とを有する導光部材と、を備えるものである。
【０００８】
また、本発明の照明器具は、前記小径端部に設けられた蓋部を有するものである。
【０００９】
また、本発明の照明器具は、前記蓋部にレンズが設けられているものである。
【００１０】
また、本発明の照明器具は、前記器具本体に連結され、前記光源から離れる方向に向かって拡開する筒体と、前記筒体の端部に連結された枠とを有するものである。
【００１１】
さらに、本発明の照明器具は、前記器具本体が天井材に設けられた取付孔から前記天井材の裏側に収容可能であるとともに、前記鍔部が前記天井材の表側に露出可能であるものである。
【発明の効果】
【００１２】
本発明では、光源に対面する小径端部から入射した光が、導光部材の円錐筒部を経て鍔部に導光されるので、鍔部が明るくなり、天井面に沿って十分な光を照射できる。また、鍔部には内部空間がないので、埃や虫が入り込むのを防止できるという効果を有する照明器具を提供できる。
【図面の簡単な説明】
【００１３】
【図１】本発明に係る第１実施形態の照明器具の断面図
【図２】図１中ＩＩ部分の拡大図
【図３】ＬＥＤパッケージと導光部材とが対面する状態を示す分解斜視図
【図４】（Ａ）は第１実施形態の照明器具におけるＬＥＤパッケージの断面図であり、（Ｂ）はレンズを設けたＬＥＤパッケージの断面図
【図５】本発明に係る第２実施形態の照明器具の断面図
【図６】図５中ＶＩ部分の拡大図
【図７】ＬＥＤパッケージと導光部材とが対面する状態を示す分解斜視図
【図８】本発明に係る第３実施形態の照明器具の断面図
【図９】（Ａ）は図８中ＩＸ部分の拡大図であり、（Ｂ）はレンズの変形例を示す断面図
【図１０】ＬＥＤパッケージと導光部材とが対面する状態を示す分解斜視図
【図１１】本発明に係る第４実施形態の照明器具の断面図
【図１２】図１１中ＸＩＩ部分の拡大図
【図１３】ＬＥＤパッケージと導光部材とが対面する状態を示す分解斜視図
【図１４】本発明に係る第５実施形態の照明器具の要部拡大図
【図１５】ＬＥＤパッケージと導光部材とが対面する状態を示す分解斜視図
【図１６】（Ａ）は導光部材および第２の導光部材を筒体に取り付ける構造を示す分解斜視図であり、（Ｂ）は導光部材および第２の導光部材を取り付けた状態の斜視図
【図１７】本発明に係る第６実施形態の照明器具の要部拡大図
【図１８】（Ａ）、（Ｂ）、（Ｃ）は導光部材および第２の導光部材を筒体に取り付ける工程図
【図１９】本発明に係る第７実施形態の照明器具の要部拡大図
【図２０】本発明に係る第８実施形態の照明器具の要部拡大図
【図２１】本発明に係る第９実施形態の照明器具の斜視図
【図２２】本発明に係る第９実施形態の照明器具の断面図
【図２３】従来の照明器具の断面図
【発明を実施するための形態】
【００１４】
（第１実施形態）
以下、第１実施形態の照明器具について、図面を用いて説明する。
図１に示すように、第１実施形態の照明器具１０Ａは、被取付面である天井材１１に設けられた取付孔１２に取り付けて、下方を照らすダウンライトとして用いることができる。
【００１５】
照明器具１０Ａは、取付孔１２に取り付けられる器具本体２０を有する。器具本体２０は、光源であるＬＥＤパッケージ２１Ａを有する灯体２２と、灯体２２の下側に一体的に設けられた枠部２３を有する。
灯体２２は、全体円柱形状の外周壁２２１を有しており、外周壁２２１の下端面には底板２２２が一体的に設けられている。底板２２２の下面には、ＬＥＤパッケージ２１Ａが取り付けられている。また、外周壁２２１の外側には、ＬＥＤパッケージ２１Ａが発する熱を外部に放出する放熱板２４が多数設けられている。
【００１６】
灯体２２の上端面から天井材１１の上面に沿って支持部材２８が設けられており、支持部材２８の先端部には電源部５０が取り付けられている。電源部５０は、天井裏に配線されている商用電源（図示省略）に接続されている。電源部５０は、電線５１によって灯体２２のＬＥＤパッケージ２１Ａに接続されており、点灯電力をＬＥＤパッケージ２１Ａに供給する。
なお、ここでは、電源部５０を灯体２２と別個に設けて、天井材１１の上面に載置しているが、灯体２２に電源部５０を取り付けることもできる。
【００１７】
図１および図２に示すように、枠部２３は、灯体２２の外周壁２２１の下端に連続して設けられている筒体２５と、筒体２５の下端部設けられた枠２６を有する。
筒体２５は、ＬＥＤパッケージ２１Ａから離れる方向（すなわち、下方）に向かって拡開する円錐台形状を呈している。
【００１８】
枠２６は、筒体２５の下端の開口部２５１の周囲に設けられており、外側に突出するリング板状を呈している。枠２６の外径は、取付孔１２の内径よりも大きく、照明器具１０Ａを取付孔１２に取り付けた状態で、天井材１１の下面１１１に当接する。枠２６の上面２６１には、枠部２３を取付孔１２に固定するための取付ばね２７が設けられている。取付ばね２７は、枠２６に沿って、複数個（例えば３個）略等間隔で設けられている。取付ばね２７は、常時下方（図２において矢印Ａ方向）に付勢されており、枠２６の上面２６１と取付ばね２７との間に天井材１１を挟むことにより、照明器具１０Ａを取付孔１２に取り付ける。
【００１９】
器具本体２０の下側には、導光部材４０Ａが取り付けられている。導光部材４０Ａは、ＬＥＤパッケージ２１Ａに対面する小径端部４１１を有するとともに、ＬＥＤパッケージ２１Ａから離れる方向に向かって拡開する円錐筒部４１が設けられている。
図２および図３に示すように、小径端部４１１には、蓋部４２が設けられている。蓋部４２は、ＬＥＤパッケージ２１Ａに対面している。また、円錐筒部４１の下端である大径端部４１２には、鍔部４３が設けられている。
図１および図２に示すように、円錐筒部４１は、枠部２３の筒体２５の内側に位置する。鍔部４３は、枠部２３の枠２６の下側に位置する。
従って、鍔部４３は、照明器具１０Ａを取付孔１２に取り付けた際には、天井材１１の下面１１１に露出する。
【００２０】
図２および図４（Ａ）に示すように、ＬＥＤパッケージ２１Ａは、灯体２２の底板２２２の下面に取り付けられる円板状のパッケージ基板２９（図３参照）と、パッケージ基板２９に実装されるＬＥＤチップ３１を有する。
なお、図４（Ｂ）に示すように、ＬＥＤチップ３１を透明樹脂で形成されたレンズ３２で封止して、側方への光を増すこともできる。また、この場合に、レンズ３２の先端の半球状部３２１を例えばシボ加工して、先端から照射される光をぼかすようにすることもできる。
ＬＥＤチップ３１はパッケージ基板２９の中央に実装されており、例えば中心角が約１２０の範囲に光を照射する。また、パッケージ基板２９は灯体２２の円形の底板２２２の中央に取り付けられている。
【００２１】
次に、第１実施形態の照明器具１０Ａの動作について説明する。
灯体２２の底板２２２の下面に取り付けられているＬＥＤパッケージ２１Ａでは、電源部５０から点灯電力を供給されて、ＬＥＤチップ３１が点灯する。
ＬＥＤチップ３１の光は下方に照射されて、ＬＥＤパッケージ２１Ａに対面している蓋部４２および円錐筒部４１の小径端部４１１から導光部材４０Ａに入射する。蓋部４２に入射した光は、一部は蓋部４２を透過して下方に照射される。また、一部は、蓋部４２から円錐筒部４１に導光される。
円錐筒部４１に入射した光は、円錐筒部４１の大径端部４１２を通って、鍔部４３に導光されて、鍔部４３が発光する。
【００２２】
次に、第１実施形態の照明器具１０Ａの作用効果について説明する。
図１に示すように、器具本体２０には、ＬＥＤパッケージ２１Ａおよび電源部５０が設けられており、ＬＥＤパッケージ２１Ａは電源部５０から供給される電力によって点灯する。
また、器具本体２０には、導光部材４０Ａが取り付けられている。導光部材４０Ａは、ＬＥＤパッケージ２１Ａに小径端部４１１が対面するとともにＬＥＤパッケージ２１Ａから離れる方向に向かって拡開する円錐筒部４１と、円錐筒部４１の大径端部４１２における外周面に沿って設けられた鍔部４３とを有する。
【００２３】
このため、ＬＥＤパッケージ２１Ａに対面する小径端部４１１から入射した光は、導光部材４０Ａの円錐筒部４１を経て鍔部４３に導光されるので、鍔部４３が明るくなり、天井材１１の下面に沿って十分な光を照射できる。
また、鍔部４３には板状であって内部空間がないので、埃や虫が入り込むのを防止できる。
【００２４】
また、照明器具１０Ａでは、導光部材４０Ａの円錐筒部４１の小径端部４１１に蓋部４２を設けたので、前方への照射光を軟らかくして眩しくないようにすることができる。
また、蓋部４２に入射した光を円錐筒部４１および鍔部４３へ導光するので、導光部材４０Ａへの入射光量を増すことができる。
【００２５】
また、照明器具１０Ａでは、器具本体２０に、ＬＥＤパッケージ２１Ａから離れる方向に向かって拡開する筒体２５と、筒体２５の端部に連結された枠２６とを設けた。導光部材４０Ａは、これら筒体２５および枠２６に沿って設けられるので、導光部材４０Ａを支持することができる。
【００２６】
さらに、照明器具１０Ａでは、器具本体２０を天井材１１に設けられた取付孔１２から天井材１１の裏側に収容し、導光部材４０Ａの鍔部４３を天井材１１の下面１１１に露出させることができる。
このため、天井材１１に設けられた取付孔１２に取り付けて下方を照明する際に、導光部材４０Ａの鍔部４３まで導光されて鍔部４３が発光するので、鍔部４３が明るくなり、天井材１１の下面１１１に沿って十分な光を照射できる。
また、鍔部４３には内部空間がないので、埃や虫が入り込むのを防止できるのに適する。
【００２７】
（第２実施形態）
次に、第２実施形態の照明器具を説明する。
なお、前述した第１実施形態の照明器具１０Ａと共通する部位には同じ符号を付して、重複する説明を省略することとする。
図５および図６に示すように、第２実施形態の照明器具１０Ｂでは、ＬＥＤパッケージ２１Ｂは複数個のＬＥＤチップ３１を有する。
図７に示すように、ＬＥＤチップ３１は、円板状のパッケージ基板２９の外周縁部に沿って配列されている。
また、導光部材４０Ｂでは、円錐筒部４１の小径端部４１１の内側は開口４４が設けられている。
【００２８】
第２実施形態の照明器具１０Ｂによれば、複数のＬＥＤチップ３１が設けられているので、全体の光量が増加する。
また、複数のＬＥＤチップ３１は、円錐筒部４１の小径端部４１１の端面に対面していので、ＬＥＤチップ３１が発した光は、直接小径端部４１１に入射し、導光部材４０Ｂへの入射効率が向上する。
これにより、導光部材４０Ｂの鍔部４３がより明るく発光するので、天井材１１の下面１１１に沿って十分な光を照射できる。
また、導光部材４０Ｂの中心部には光源が配置されておらず、リング状の鍔部４３が下方を照明するので、リング状の光で、軟らかく照明することができる。
【００２９】
（第３実施形態）
次に、第３実施形態の照明器具を説明する。
なお、前述した第１実施形態の照明器具１０Ａおよび第２実施形態の照明器具１０Ｂと共通する部位には同じ符号を付して、重複する説明を省略することとする。
図８および図９（Ａ）に示すように、第３実施形態の照明器具１０Ｃの導光部材４０Ｃは、第１実施形態の照明器具１０Ａにおける導光部材４０Ａの蓋部４２にレンズ４２１を設けたものである。レンズ４２１は、ＬＥＤチップ３１から遠ざかる方向（すなわち下方）に向かって凸の部分球面状をしている。
【００３０】
従って、図１０に示すように、ＬＥＤパッケージ２１Ｃは、第１実施形態における照明器具１０ＡのＬＥＤパッケージ２１Ａと同じものである。ＬＥＤパッケージ２１ＣのＬＥＤチップ３１は、導光部材４０Ｃのレンズ４２１の凹面に対面する。
なお、図９（Ｂ）に示すように、レンズ４２１の凹面の先端部に、ＬＥＤチップ３１側に突出する半球状の凸部４２２を設けることもできる。
【００３１】
第３実施形態の照明器具１０Ｃによれば、導光部材４０Ｃの小径端部４１１に設けた蓋部４２にレンズ４２１を設けたので、ＬＥＤパッケージ２１ＣのＬＥＤチップ３１が、導光部材４０Ｃのレンズ４２１の凹面に対面する。
このため、ＬＥＤチップ３１からの光の大部分をレンズ４２１で受光することができ、導光部材４０Ｃへの入射効率を向上させることができる。これに伴い、導光部材４０Ｃの鍔部４３がより明るく発光するので、天井材１１の下面１１１に沿って十分な光を照射できる。
【００３２】
（第４実施形態）
次に、第４実施形態の照明器具を説明する。
なお、前述した第１実施形態の照明器具１０Ａないし第３実施形態の照明器具１０Ｃと共通する部位には同じ符号を付して、重複する説明を省略することとする。
図１１および図１２に示すように、第４実施形態の照明器具１０ＤのＬＥＤパッケージ２１Ｄは、第２実施形態の照明器具１０Ｂに用いたＬＥＤパッケージ２１Ｂと同じものである。
【００３３】
図１２および図１３に示すように、照明器具１０Ｄでは、器具本体２０の筒体２５と、導光部材４０Ｄとの間に、乳白色の第２の導光部材４５を設けた。第２の導光部材４５は、導光部材４０Ｄの円錐筒部４１に対応する円錐部４５２と、鍔部４３に対応する鍔面４５３を有する。ＬＥＤチップ３１からの光は、第２の導光部材４５の上端面４５１に入射して、鍔面４５３に導光される。
さらに、導光部材４０Ｄでは、鍔部４３の外周縁を上方に折曲げた縦鍔部４６を設けた。縦鍔部４６の上端面は、枠２６の上面２６１とほぼ同じか、低い位置にある。
【００３４】
第４実施形態の照明器具１０Ｄによれば、筒体２５と導光部材４０Ｄとの間に、乳白色の第２の導光部材４５を設け、ＬＥＤチップ３１からの光は、第２の導光部材４５の上端面４５１に入射するようにした。
このため、導光部材４０Ｄの円錐筒部４１および鍔部４３は、第２の導光部材４５の円錐部４５２および鍔面４５３が発光する光によって、軟らかく発光する。
また、導光部材４０Ｄの鍔部４３の外周縁を上方に折曲げた縦鍔部４６を設けたので、縦鍔部４６の発光により、天井材１１の下面１１１に沿って十分な光を照射できる。
さらに、ＬＥＤチップ３１からの光が第２の導光部材４５を透過することにより、複数のＬＥＤチップ３１の粒々感が減少して軟らかな光となる。
【００３５】
（第５実施形態）
次に、第５実施形態の照明器具を説明する。
なお、前述した第１実施形態の照明器具１０Ａないし第４実施形態の照明器具１０Ｄと共通する部位には同じ符号を付して、重複する説明を省略することとする。
図１４および図１５に示すように、第５実施形態の照明器具１０Ｅは、第４実施形態の照明器具１０Ｄにおける第２の導光部材４５を改良したものである。
従って、導光部材４０Ｅは、第４実施形態の導光部材４０Ｄと同じものである。また、ＬＥＤパッケージ２１Ｅは、第４実施形態のＬＥＤパッケージ２１Ｄと同じものである。
【００３６】
第２の導光部材４５では、上端に蓋材４５４を設け、蓋材４５４の上面に山型の入光部４５５を設けた。入光部４５５は、ＬＥＤパッケージ２１Ｅに配置されたＬＥＤチップ３１に対向して配置されている。なお、全てのＬＥＤチップ３１に対向して入光部４５５を設ける場合に限定されない。
また、第２の導光部材４５の外表面に、反射層４７を設けた。従って、筒体２５と第２の導光部材４５の円錐部４５２との間および鍔部４３と鍔面４５３との間には、反射層４７が介在する。反射層４７は、第２の導光部材４５の外表面に塗布したり、貼付けたりして設けることができる。あるいは、別部材を設けることもできる。
【００３７】
図１６（Ａ）、（Ｂ）には、導光部材４０Ｅおよび第２の導光部材４５を器具本体２０に取り付ける構造の一例が示されている。
図１６（Ａ）に示すように、導光部材４０Ｅの縦鍔部４６に係止突起４０１を設け、第２の導光部材４５の鍔面４５３には、係止突起４０１が通過可能な切欠４５６を設ける。
そして、図１６（Ｂ）に示すように、係止突起４０１で枠２６を係止することにより、器具本体２０に導光部材４０Ｅおよび第２の導光部材４５を取り付けることができる。
【００３８】
第５実施形態の照明器具１０Ｅによれば、第２の導光部材４５に、ＬＥＤパッケージ２１ＥのＬＥＤチップ３１に対向する入光部４５５を設けたので、ＬＥＤチップ３１からの光を効率的に第２の導光部材４５に入光することができる。
また、第２の導光部材４５の外表面に反射層４７を設けたので、第２の導光部材４５から光が照射方向と反対側（上方）に漏れるのを防止することができる。
【００３９】
（第６実施形態）
次に、第６実施形態の照明器具を説明する。
なお、前述した第１実施形態の照明器具１０Ａないし第５実施形態の照明器具１０Ｅと共通する部位には同じ符号を付して、重複する説明を省略することとする。
図１７に示すように、第６実施形態の照明器具１０Ｆでは、導光部材４０Ｆおよび第２の導光部材４５を、導光部材４０Ｆの円錐筒部４１に設けた支持棒部４８によって器具本体２０の筒体２５に取り付けている。
【００４０】
導光部材４０Ｆおよび第２の導光部材４５を、器具本体２０の筒体２５に取り付ける取付作業について説明する。
図１８（Ａ）に示すように、予め、導光部材４０Ｆの円錐筒部４１の外側面に、所定間隔で支持棒部４８を設けておく。ここで、支持棒部４８は、少なくとも第２の導光部材４５の厚さと筒体２５の厚さを加えたものよりも、所定長さだけ長く設けておく。また、第２の導光部材４５および筒体２５には、所定位置にそれぞれ貫通孔４５７、２５２を設けておく（図１８（Ｂ）参照）。
【００４１】
図１８（Ｂ）に示すように、第２の導光部材４５の貫通孔４５７を筒体２５貫通孔２５２に重ねて、導光部材４０Ｆの支持棒部４８を貫通孔４５７、２５２に挿入する。
次いで、筒体２５の貫通孔２５２から突出している支持棒部４８の先端を、加熱した弧状の金型１３を押し付けて、頭部４８１を成型する。
これにより、図１８（Ｃ）に示すように、導光部材４０Ｆおよび第２の導光部材４５は、器具本体２０の筒体２５に取り付けられる。
【００４２】
第６実施形態の照明器具１０Ｆによれば、導光部材４０Ｆおよび第２の導光部材４５を、容易かつ確実に器具本体２０の筒体２５に取り付けることができる。
【００４３】
（第７実施形態）
次に、第７実施形態の照明器具について説明する。
なお、前述した第１実施形態の照明器具１０Ａないし第６実施形態の照明器具１０Ｆと共通する部位には同じ符号を付して、重複する説明を省略することとする。
図１９に示すように、第７実施形態の照明器具１０Ｇでは、器具本体２０の枠２６の外周縁部を下方に折曲げて端板２６２が設けられている。導光部材４０Ｇには、縦鍔部４６が設けられていない。また、この端板２６２の形成に伴い、第２の導光部材４５の鍔面４５３の外周端が端板２６２と干渉しないように、切欠かれている。
【００４４】
第７実施形態の照明器具１０Ｇによれば、枠２６の外周縁部を下方に折曲げて不透光素材の端板２６２を設けたので、端板２６２の表面を白色塗装等の反射率の高い処理をすることにより、第２の導光部材４５の端部からの光を反射し第２の導光部材４５の端部へ再入力することになる。
すなわち、照明器具１０Ｇによれば、第２の導光部材４５の端部は光源から遠いため、出射光量が少ないが、端板２６２の表面に反射した光が再入力される光により、枠部２３から出る光量を増すことが可能となる。
【００４５】
（第８実施形態）
次に、第８実施形態の照明器具について説明する。
なお、前述した第１実施形態の照明器具１０Ａないし第７実施形態の照明器具１０Ｇと共通する部位には同じ符号を付して、重複する説明を省略することとする。
図２０に示すように、第８実施形態の照明器具１０Ｈでは、器具本体２０の枠２６の底面２６３が、外側に向かって上昇するように傾斜している。この枠２６の底面２６３の傾斜に伴って、導光部材４０Ｈの鍔部４３および第２の導光部材４５の鍔面４５３も、外側に向かって上昇するように傾斜している。
【００４６】
第８実施形態の照明器具１０Ｈによれば、枠２６の底面２６３、導光部材４０Ｈの鍔部４３および第２の導光部材４５の鍔面４５３が外側に向かって上昇するように傾斜しているので、天井材１１の下面１１１に沿って十分な光を照射できる。
【００４７】
（第９実施形態）
次に、第９実施形態の照明器具について説明する。
なお、前述した第１実施形態の照明器具１０Ａないし第８実施形態の照明器具１０Ｈと共通する部位には同じ符号を付して、重複する説明を省略することとする。
【００４８】
図２１に示すように、第９実施形態の照明器具は、天井材１１の下面１１１に設けられているレール（図示省略）に沿って移動可能なダウンライト１４である。
ここでは、ダウンライト１４の内部に、前述した第１実施形態の照明器具１０Ａが用いられている場合について図示して説明するが、第２実施形態の照明器具１０Ｂないし第８実施形態の照明器具１０Ｈのいずれを用いることもできる。
【００４９】
図２１および図２２に示すように、ダウンライト１４は、全体コ字形状のフレーム６２を有する。フレーム６２の上部には、レールに沿って移動可能であるとともにレールから電力の供給を受けるスライド６１を有する。フレーム６２には、照明器具１０Ａを収容する円筒形状の筐体６３が、回動軸６４回りに回動可能に取り付けられている。
なお、電源部５０は、照明器具１０Ａとともに筐体６３に収容されており、図示はしないがフレーム６２の内部に配線されている電線を介して、スライド６１と電気的に接続されている。
【００５０】
第９実施形態の照明器具であるダウンライト１４によれば、ＬＥＤパッケージ２１Ａからの光が、導光部材４０Ａの円錐筒部４１を経て鍔部４３に導光されるので、鍔部４３が明るくなり、横方向にも十分な光を照射できる。
【００５１】
本発明の照明器具は、前述した各実施形態に限定されるものでなく、適宜な変形、改良等が可能である。
【符号の説明】
【００５２】
１０Ａ〜１０Ｈ  照明器具
１１  天井材
１２  取付孔
１４  ダウンライト（照明器具）
２０  器具本体
２１Ａ〜２１Ｅ  ＬＥＤパッケージ光源
２５  筒体
２６  枠
４０Ａ〜４０Ｈ  導光部材
４１  円錐筒部
４１１  小径端部
４１２  大径端部
４２  蓋部
４２１  レンズ
４３  鍔部
５０  電源部
【図１】
2014216146.tif 000003
【図２】
2014216146.tif 000004
【図３】
2014216146.tif 000005
【図４】
2014216146.tif 000006
【図５】
2014216146.tif 000007
【図６】
2014216146.tif 000008
【図７】
2014216146.tif 000009
【図８】
2014216146.tif 000010
【図９】
2014216146.tif 000011
【図１０】
2014216146.tif 000012
【図１１】
2014216146.tif 000013
【図１２】
2014216146.tif 000014
【図１３】
2014216146.tif 000015
【図１４】
2014216146.tif 000016
【図１５】
2014216146.tif 000017
【図１６】
2014216146.tif 000018
【図１７】
2014216146.tif 000019
【図１８】
2014216146.tif 000020
【図１９】
2014216146.tif 000021
【図２０】
2014216146.tif 000022
【図２１】
2014216146.tif 000023
【図２２】
2014216146.tif 000024
【図２３】
2014216146.tif 000025